(57)【要約】可搬型記録媒体を接続するためのコネクタの実装構造であって、基板に取り付けられたコネクタ部（６１）と、前記コネクタ部（６１）に接続された前記可搬型記録媒体を所定の位置に保持すべく、前記基板の外側に位置するガイド部（６２）と、を備えている。
2004100319.tif 000002
【特許請求の範囲】
【請求項１】
可搬型記録媒体を接続するためのコネクタの実装構造であって、
前記基板に取り付けられたコネクタ部と、
前記コネクタ部に接続された前記カード型記録媒体を所定の位置に保持すべく、前記基板の外側に位置するガイド部と、を備えたコネクタの実装構造。
【請求項２】
前記ガイド部が固定部材を介して前記基板に固定されている請求項１に記載のコネクタの実装構造。
【請求項３】
前記可搬型記録媒体はカード型記録媒体である請求項１に記載のコネクタの実装構造。
【請求項４】
所定の領域からなる表面を有する基板であり、
前記表面上に取り付けられたコネクタ部と、
前記コネクタ部に接続された可搬型記録媒体を所定の位置に保持すべく、前記領域の外側に位置するガイド部と、
を備えた基板。
【請求項５】
前記ガイド部が固定部材を介して前記基板に固定されている請求項４に記載の基板。
【請求項６】
前記可搬型記録媒体はカード型記録媒体である請求項４に記載の基板。
【請求項７】
基板と、
前記基板に取り付けられたコネクタ部と、
前記コネクタ部に接続された前記可搬型記録媒体を所定の位置に保持すべく、前記基板の外側に位置するガイド部と、
を備えた電子機器。
【請求項８】
前記ガイド部が固定部材を介して前記基板に固定されている請求項７に記載の電子機器。
【請求項９】
前記可搬型記録媒体はカード型記録媒体である請求項７に記載の電子機器。
【請求項１０】
前記基板を収容する筐体を有し、
前記ガイド部が前記筐体に固定されている請求項７に記載の電子機器。
【請求項１１】
基板に取り付けられたコネクタ部と、
前記コネクタ部に可搬型記録媒体が接続されるとき、該可搬型記録媒体を所定の位置に保持するべく前記基板の外側に位置されるガイド部と、
前記ガイド部を前記基板に固定する固定部材と、
を備えたコネクタ。
【発明の詳細な説明】
【技術分野】  本発明は可搬型記録媒体、例えばカードコネクタの実装構造、基板及び電子機器に関する。
【背景技術】  ＰＣ（パーソナルコンピュータ）に可搬型記録媒体の１つであるカード型記録媒体を接続する場合、ＰＣの基板にカードコネクタを搭載している。従来のカードコネクタは、カードコネクタの略全体を基板上に載せた状態で搭載されていた。
また、従来、ＦＩＧ．１０に示す排出機構１０付のコネクタ１１が提案されている。この排出機構１０付のコネクタ１１は、ハウジング１２内に組み込まれた複数の接続端子１６の可動端１６ａが、カード型記録媒体１の挿入方向側に配置されている。
これらの接続端子１６の固定端１６ｂは、ハウジング１２外のカード型記録媒体１の排出方向側に突出している。また、ハウジング１２の開口端の内側に形成された記録媒体挿入ガイド１５が、接続端子１６の固定端１６ｂより排出方向側へ偏位させて配置されている（例えば、特許文献１参照）。なお、ＦＩＧ．１０中の符号２は端子である。
【特許文献１】    特開２００１−２３６４７２号公報
【特許文献２】    特開平１０−２５５９２８号公報
しかしながら、従来のカードコネクタは、カードコネクタの大部分が基板上に載せられていたので、基板上の取付可能な場所が制限されるという問題があった。そのため、部品レイアウトの自由度が小さくなるという問題があった。
また、カードコネクタを取り付けることによって基板の実装面積が減少するため、実装密度が低下するという問題があった。
また、ＦＩＧ．１０に示した排出機構１０付のコネクタ１１は、コネクタ１１の取付スペースを小さくできる。しかし、このコネクタ１１は、コネクタ１１全体が基板上に載せられるため、コネクタ１１を取り付けできる場所が制限されるとともに、基板の実装密度が低下するという問題があった。
【発明の開示】
本発明は、このような問題に鑑みてなされたもので、可搬型記録媒体用のコネクタを取り付ける場所の制約を小さくできると共に、基板の実装密度を高くできるコネクタの実装構造、基板及び電子機器の提供を課題とする。
これにより、部品レイアウトの自由度を大きくすることを可能とする。また、基板及び電子機器の小型化及びコストダウンを可能とする。
本発明は、前記課題を解決するため、以下の手段を採用した。
すなわち、本発明は、可搬型記録媒体を接続するためのコネクタの実装構造であって、前記基板に取り付けられたコネクタ部と、前記コネクタ部に接続された前記カード型記録媒体を所定の位置に保持すべく、前記基板の外側に位置するガイド部と、を備えている。
本発明では、コネクタのコネクタ部のみ基板に取り付け、コネクタのガイド部を基板外に配置したので、コネクタを取り付ける場所の制約を小さくでき、部品レイアウトの自由度が大きくなる。
また、基板の実装密度を高くできるので、基板及びこれを用いた電子機器の小型化及びコストダウンが可能になる。
ここで、前記ガイド部を固定部材を介して前記基板に固定できる。
また、前記可搬型記録媒体はカード型記録媒体にできる。
本発明は、所定の領域からなる表面を有する基板であり、前記表面上に取り付けられたコネクタ部と、前記コネクタ部に接続された可搬型記録媒体を所定の位置に保持すべく、前記領域の外側に位置するガイド部と、を備えている。
ここで、前記ガイド部を固定部材を介して前記基板に固定できる。
また、前記可搬型記録媒体はカード型記録媒体とすることができる。
本発明は、基板と、前記基板に取り付けられたコネクタ部と、前記コネクタ部に接続された前記可搬型記録媒体を所定の位置に保持すべく、前記基板の外側に位置するガイド部と、備えている。
ここで、前記ガイド部を固定部材を介して前記基板に固定できる。
また、前記可搬型記録媒体はカード型記録媒体とすることができる。
また、前記基板を収容する筐体を備え、前記ガイド部を前記筐体に固定できる。
本発明は、基板に取り付けられたコネクタ部と、前記コネクタ部に可搬型記録媒体が接続されるとき、該可搬型記録媒体を所定の位置に保持すべく前記基板の外側に位置されるガイド部と、前記ガイド部を前記基板に固定する固定部材と、を備えている。
なお、以上述べた各構成要素は、本発明の趣旨を逸脱しない限り、互いに組み合わせることが可能である。
【図面の簡単な説明】  ＦＩＧ．１は本発明の電子機器を示す分解斜視図であり、
ＦＩＧ．２は本発明の電子機器の外観を示す斜視図であり、
ＦＩＧ．３は本発明のカードコネクタを示す分解斜視図であり、
ＦＩＧ．４は本発明のカードコネクタのコネクタ部を基板に取り付けた状態を示す平面図であり、
ＦＩＧ．５は本発明のコネクタ部を示す平面図であり、
ＦＩＧ．６はＦＩＧ．５のＡ矢視図であり、
ＦＩＧ．７は本発明のカードコネクタを基板に取り付ける方法を示す斜視図であり、
ＦＩＧ．８は本発明のカードコネクタにカード型記録媒体を挿入した状態を示す平面図であり、
ＦＩＧ．９は本発明の別の実施例を示す平面図であり、
ＦＩＧ．１０は従来例を示す平面図である。
【発明を実施するための最良の形態】  以下、図面を参照して、本発明の最良の形態を説明する。
ＦＩＧ．１は本発明に係る電子機器であるノート型ＰＣ５を示す分解斜視図、ＦＩＧ．２はこのノート型ＰＣ５の外観を示す斜視図である。
このノート型ＰＣ５は、本体５１、本体５１に開閉自在に設けられたＬＣＤ（液晶ディスプレイ）５２、本体５１上に設けられたキーボード５３、本体５１内に収容された基板であるメインボード５４、ベイドライブ７３を備えている。
メインボード５４には、ヒートシンク５５、ＣＰＵ５６、このＣＰＵ５６を冷却するファン５７、ＣＰＵ５６で発生した熱をファン５７側に伝達する放熱板５８、メインボード５４に可搬型記録媒体である例えばＰＣカード５９を接続するカードコネクタ６０が設けられている。
次に、カードコネクタ６０について説明する。なお、カードコネクタ６０及びその実装構造以外は、一般的なものを使用できるので、その説明を省略する。
カードコネクタ６０は、ＦＩＧ．３に示すように、メインボード５４に取り付けられたコネクタ部６１と、このコネクタ部６１に接続されたＰＣカード５９を所定の位置に保持すべく、メインボード５４の外側に位置するガイド部６２と、このガイド部６２をメインボード５４に固定する固定部材６３とを備えている。
なお、ＦＩＧ．３は、ＣＰＵ５６上に設けられた放熱板５８（ＦＩＧ．１参照）を取り外した状態を示す。
上記のコネクタ部６１は、ＦＩＧ．４に示すように、メインボード５４の端縁５４ａに接近した位置に固定されている。このコネクタ部６１は、ＦＩＧ．５に示すように、略長方形状であり、その片側にＰＣカード５９を挿入する凹部６４が形成されている。
また、凹部６４の反対側には、メインボード５４に実装される複数のリード端子６５が設けられている。凹部６４内には、ＦＩＧ．６に示すように、複数の雄端子６６が設けられている。この雄端子６６にＰＣカード５９の端子が接続される。
ＦＩＧ．３のガイド部６２は、断面が扁平な略コの字状に形成されている。このガイド部６２は、その開放面を下側にした状態でメインボード５４の外側に配置される。
また、固定部材６３は、断面が略コの字状に形成されている。この固定部材６３は、その一方の端部６３ａでコネクタ部６１の端部を被覆すると共に、大部分がメインボード５４から突出した状態で、メインボード５４に固定される。
固定部材６３の角部における下端部には、メインボード５４に固定するための取付部分６７と、ガイド部６２を取り付けるための取付部分６８が設けられている。
一方、ガイド部６２の一方の端部側には、固定部材６３に取り付けるための取付部分６９が設けられている。
ガイド部６２をメインボード５４に取り付ける際は、固定部材６３の凹部６３ｂ内にガイド部６２を挿入し、固定部材６３の一方の取付部分６８と、ガイド部６２の取付部分６９をねじ７０（ＦＩＧ．７参照）で締結する。
次に、ＦＩＧ．８に示すように、固定部材６３の端部６３ａをコネクタ部６１に被せた状態で、固定部材６３のもう一方の取付部分６７をねじ７１でメインボード５４に取り付ける。
これによって、コネクタ部６１とガイド部６２とが所定の位置関係に固定される。そして、ＦＩＧ．８に示すように、ガイド部６２にＰＣカード５９を挿入すると、ＰＣカード５９が位置ずれすることなくコネクタ部６１の凹部６４内に挿入される。これによって、ＰＣカード５９がコネクタ部６１に接続される。
このように、本発明では、カードコネクタ６０のコネクタ部６１のみメインボード５４に取り付けられ、ガイド部６２がメインボード５４の外側に配置されているので、メインボード５４におけるカードコネクタ６０を取り付けるために必要なスペースを小さくできる。
従って、カードコネクタ６０をメインボード５４に取り付ける際に、取付場所の制約を殆ど受けることがないので、部品レイアウトの自由度が大きくなる。
また、メインボード５４の実装密度を高くできる。これによって、メインボード５４の小型化及びコストダウンが可能になる。また、このメインボード５４を用いたノート型ＰＣ５など電子機器の小型化及びコストダウンが可能になる。
なお、上記の実施形態では、カードコネクタ６０のガイド部６２を、固定部材６３を介してメインボード５４に固定したが、ＦＩＧ．９に示すように、ノート型ＰＣ５の筐体７２にガイド部６２を固定することもできる。
この場合は、ガイド部６２の取付部分６９，６９をねじ７３で筐体７２に固定する。この場合も、メインボード５４にはコネクタ部６１のみ取り付けられ、ガイド部６２がメインボード５４の外側に位置するので、上記と同様な作用効果を発揮できる。
また、上記の実施形態ではカード型記録媒体であるＰＣカード５９を使用する場合について説明したが、本発明は、ＣＦ（コンパクトフラッシュ）カード、ＭＳ（メモリスティック）カード、ＳＤカード、スマートメディアカード、ｘＤピクチャーカードなど各種の可搬型記録媒体に適用できる。
【産業上の利用可能性】  本発明は、コンピュータなど各種の電子機器に利用できる。
【図１】
2004100319.tif 000003
【図２】
2004100319.tif 000004
【図３】
2004100319.tif 000005
【図４】
2004100319.tif 000006
【図５】
2004100319.tif 000007
【図６】
2004100319.tif 000008
【図７】
2004100319.tif 000009
【図８】
2004100319.tif 000010
【図９】
2004100319.tif 000011
【図１０】
2004100319.tif 000012
【国際調査報告】
2004100319.tif 000013
2004100319.tif 000014
2004100319.tif 000015
2004100319.tif 000016
2004100319.tif 000017